(57)【特許請求の範囲】
【請求項１】
照明用ライトガイドによって伝達された照明光で照明された被写体の像をイメージガイドによって接眼部に伝達するようにした内視鏡であって、上記照明用ライトガイドの入射端部を操作部に配置し、その入射端部から上記照明用ライトガイドに照明光を供給するための光源ユニットを着脱自在に接続するための被接続部材を上記操作部に設けた簡易型内視鏡装置において、
上記イメージガイドによって伝達された内視鏡観察像を撮影するための撮影装置を上記接眼部に着脱自在に取り付けられるようにすると共に、外部光源装置から上記照明用ライトガイドに照明光を供給するためのライトガイドケーブルを上記被接続部材に着脱自在に設け、上記ライトガイドケーブルと上記接眼部を経由して上記外部光源装置と上記撮影装置との間を電気的に接続するための電気配線を設けて、上記電気配線を途中で接続するための電気接点を上記被接続部材部分に設け、上記ライトガイドケーブルの照明光射出側の端部には、上記ライトガイドケーブルに挿通配置されたライトガイドファイババンドルの射出端面から射出された照明光を上記照明用ライトガイドの入射端に導く射出レンズを配置すると共に、その射出レンズの周囲に、上記ライトガイドケーブル内に挿通された上記電気配線の一端が接続された電気接点を、上記被接続部材部分の電気接点と位置を対応させて上記ライトガイドケーブルの照明光射出側の端面から突出する状態に配置し、
上記ライトガイドケーブルの照明光射出側の端面から突出して配置された上記電気接点の断面形状を、角部が丸められて３辺のうち一つの辺が一端側から中間部分付近まで切除された三角形状に形成して、上記切除部分に隣接する隣の辺を上記ライトガイドケーブルの照明光射出側の端面に固定したことを特徴とする簡易型内視鏡装置。
【請求項２】
上記電気配線が、上記撮影装置のレリーズ信号を伝達する請求項１記載の簡易型内視鏡装置。
【請求項３】
上記電気配線が、自動露出制御用の信号を伝達する請求項１又は２記載の簡易型内視鏡装置。
【請求項４】
上記電気配線が、上記撮影装置のフィルム巻き上げ用のモータに対する駆動電力を伝達する請求項１、２又は３記載の簡易型内視鏡装置。
【発明の詳細な説明】
【０００１】
【発明の属する技術分野】
この発明は、照明用ライトガイドに照明光を供給するための小さな光源ユニットを操作部に対して着脱自在に取り付けられるようにした簡易型内視鏡装置に関する。
【０００２】
【従来の技術】
一般の内視鏡装置においては、操作部から引き出された照明用ライトガイドをキセノンランプなどを用いた外部光源装置に接続して、被写体の照明を行っている。そして、必要に応じて接眼部に撮影装置を取り付けて写真撮影を行っている。
【０００３】
しかし、そのような外部光源装置は相当に重いものになるので、移動性に乏しく、患者の病室や屋外などへ運んで使用するには負担が大きい。
そこで、小さな光源ユニットを操作部に対して着脱自在に設けた簡易型内視鏡装置が開発され、場所を選ばずに内視鏡検査を行えるようになっている。
【０００４】
【発明が解決しようとする課題】
しかし、そのような簡易型内視鏡装置に用いられる光源ユニットは、操作部と共に片手で楽に持てる程度の大きさでなければならないので、キセノン光源などに比べると非常に暗い照明しか得られない。
【０００５】
そのため、肉眼による観察はさほど不満なく行えるものの、写真撮影を行うのは困難であり、記録性という点で問題がある。したがって、記録性の良い写真撮影を行うためには簡易型ではない通常の内視鏡が別に必要となり、経済性が悪い面があった。
【０００６】
そこで本発明は、必要に応じて記録性の良い写真撮影を行うことができる簡易型内視鏡装置を提供することを目的とする。
【０００７】
【課題を解決するための手段】
上記の目的を達成するため、本発明の簡易型内視鏡装置は、照明用ライトガイドによって伝達された照明光で照射された被写体の像をイメージガイドによって接眼部に伝達するようにした内視鏡であって、上記照明用ライトガイドの入射端部を操作部に配置し、その入射端部から上記照明用ライトガイドに照明光を供給するための光源ユニットを着脱自在に接続するための被接続部材を上記操作部に設けた簡易型内視鏡装置において、上記イメージガイドによって伝達された内視鏡観察像を撮影するための撮影装置を上記接眼部に着脱自在に取り付けられるようにすると共に、外部光源装置から上記照明用ライトガイドに照明光を供給するためのライトガイドケーブルを上記被接続部材に着脱自在に設け、上記ライトガイドケーブルと上記接眼部を経由して上記外部光源装置と上記撮影装置との間を電気的に接続するための電気配線を設けて、上記電気配線を途中で接続するための電気接点を上記被接続部材部分に設けたことを特徴とする。
【０００８】
なお、上記電気配線が、上記撮影装置のレリーズ信号を伝達するものであってもよく、自動露出制御用の信号を伝達するものであってもよい。また、上記電気配線が、上記撮影装置のフィルム巻き上げ用のモータに対する駆動電力を伝達するものであってもよい。
【０００９】
【発明の実施の形態】
図面を参照して本発明の実施の形態を説明する。
図２は、本発明の実施の形態の簡易型内視鏡１の操作部２部分を示している。
【００１０】
３は、内視鏡観察像を伝達するためのイメージガイドファイババンドルであり、その像入射端面は、図示されていない挿入部の先端に配置されていて、被写体の像が対物レンズによって結像される。
【００１１】
イメージガイドファイババンドル３の像射出端面３ａは、接眼部４に配置されており、内視鏡観察像が、操作部２の上端部に突設された接眼レンズ４ａによって拡大して観察される。
【００１２】
５は、被写体を照明する照明光を伝達するためのライトガイドファイババンドルであり、その射出端は図示されていない挿入部の先端に配置されていて、被写体に向けて照明光を射出するようになっている。
【００１３】
照明用ライトガイドファイババンドル５の入射端面５ａは、操作部２の上端部近くにおいて、側方に向けて配置されている。６は吸引操作ボタン。７は鉗子栓である。
【００１４】
１０は、光源ランプ１１を内蔵した光源ユニットであり、操作部２の側面に突設された接続筒８に対して着脱自在に取り付けられるようになっている。光源ユニット１０内には、光源ランプ１１の電源となる電池１２が収容されている。
【００１５】
接続筒８は、照明用ライトガイドファイババンドル５の入射端面５ａと中心軸線位置を合致させて設けられていて、光源ユニット１０の光源ランプ１１から放射された照明光が、入射端面５ａに収束して、照明用ライトガイドファイババンドル５に供給されるようになっている。
【００１６】
図３は、接眼部４と接続筒８の部分を拡大して示しており、図４は、その接眼部４部分をさらに拡大して示している。
接眼部４の突端部分には、後述する撮影装置を取り付けるためのマウント１５が設けられており、その外側面には、撮影装置側に設けられた案内溝（図示せず）に係合するピン１６，１７が突設されている。
【００１７】
そして、マウント１５の床面部分には、撮影装置側の電気接点と接続される複数の電気接点１８が接眼レンズ４ａの周囲に配置されている。そして、各電気接点１８には、接眼部４内に通されたリード線１９の一端が接続されている。
【００１８】
各リード線１９は、接眼部４内から操作部２内を通って、他端側は接続筒８の底部に達している。接続筒８は、操作部２の側面に固定された取り付け座２２に、ねじ止め固定されている。
【００１９】
この取り付け座２２は、操作部２内のフレーム２３に固定された支持筒２４に固定ナット２５によって固定されている。２６は、接続筒８の外周面を囲むように取り付けられたプラスチック製の保護環である。
【００２０】
接続筒８の底部の中心位置には、照明用ライトガイドファイババンドル５の入射端面５ａが配置されていて、そこに照明光を効率よく入射させるための入射レンズ２８が、入射端面５ａに対向して固定されている。
【００２１】
そして、入射レンズ２８の周囲には、リード線１９を介して接眼部４の電気接点１８と接続された複数の電気接点２９が配置されている。なお、この実施の形態においては、電気接点１８，２９は各々６個ずつ設けられている。
【００２２】
図３は、光源ユニット１０が電気接点１８から取り外された状態を示しているが、接続筒８には、光源ユニット１０に代えてライトガイドケーブル４０を接続することができる。
【００２３】
図５及び図６は、接続筒８に対してライトガイドケーブル４０の一端が着脱された状態を示している。
ライトガイドケーブル４０内には、ライトガイドファイババンドル４１が全長にわたって挿通配置されている。
【００２４】
図５及び図６に示されているのは、そのライトガイドファイババンドル４１の射出端付近であり、射出端面４１ａに対向する位置に射出レンズ４２が固定されている。
【００２５】
ライトガイドケーブル４０の端部に取り付けられた接続口金４４は、操作部２側の接続筒８に対して挿脱自在に嵌合するようになっている。そして、端部の内周面に雌ねじが形成された締め環４６が、軸線回りに回転自在に設けられている。
【００２６】
そのような構造により、接続筒８の突端部の外周部分に形成された雄ねじに締め環４６の雌ねじを螺合させることによって、ライトガイドケーブル４０の接続口金４４が接続筒８に対して図５に示されるように固定される。
【００２７】
このようにして、ライトガイドケーブル４０が接続筒８に接続固定された状態では、図５に示されるように、ライトガイドケーブル４０側と簡易型内視鏡１側の両ライトガイドファイババンドル４１，５の射出端面４１ａと入射端面５ａとが、射出レンズ４２と入射レンズ２８を間にして対向する。
【００２８】
その結果、ライトガイドケーブル４０のライトガイドファイババンドル４１によって伝達されてきた照明光が、簡易型内視鏡１の照明用ライトガイドファイババンドル５に入射して、被写体を照明するための照明光として供給される。
【００２９】
射出レンズ４２の周囲には、ライトガイドケーブル４０内に挿通されたリード線４８の一端が接続された電気接点４７が、接続筒８の底部の電気接点２９と対応する位置に配置されている。
【００３０】
したがって、図５に示されるように、ライトガイドケーブル４０が接続筒８に接続された状態においては、双方の電気接点４７，２９が接触して、その結果、ライトガイドケーブル４０内のリード線４８が接眼部４の電気接点１８と電気的に接続された状態になる。
【００３１】
ライトガイドケーブル４０の他端側は、キセノンランプ又はハロゲンランプなどを光源ランプとして用いた外部光源装置に対して、着脱自在に接続されるようになっている。
【００３２】
図１は、ライトガイドケーブル４０の入射端側と射出端側とが外部光源装置６０と接続筒８とに接続され、接眼部４に撮影装置５０が接続された状態を示している。
【００３３】
この状態においては、外部光源装置６０内に設けられた強力な光源ランプから放射された照明光によって被写体が照明され、その内視鏡観察像がイメージガイドファイババンドル３によって伝達されて、撮影装置５０の撮影面に投影される。ただし、図１にはそのような光学部分の図示は省略されている。９は、簡易型内視鏡１の挿入部である。
【００３４】
ライトガイドケーブル４０の入射端側に取り付けられたコネクタ４３を外部光源装置６０に接続すると、ライトガイドケーブル４０内のリード線４８に接続された電気接点４９と外部光源装置６０側の電気接点６３とが接続される。また、接眼部４に撮影装置５０が接続された状態では、撮影装置５０に設けられた電気接点５４と接眼部４の電気接点１８とが接続される。
【００３５】
その結果、撮影装置５０内に配置されたレリーズスイッチ５１と測光素子５２とが外部光源装置６０内に配置された自動露出回路６１に接続され、また、撮影装置５０に設けられたモータ駆動回路５３と外部光源装置６０に設けられたモータ駆動電源６２とが接続される。
【００３６】
したがって、レリーズスイッチ５１から発せられるレリーズ信号と測光素子５２から出力される測光信号とが、接眼部４内とライトガイドケーブル４０内のリード線１９，４８を介して外部光源装置６０の自動露出回路６１に送られ、自動露出回路６１によって照明光の制御が行われる。その結果、撮影装置５０において適正な露出による写真撮影が行われる。
【００３７】
また、一コマの写真撮影終了直後にモータ駆動電源６２から出力されるモータ駆動電力が、ライトガイドケーブル４０内と接眼部４内のリード線４８，１９を介して撮影装置５０のモータ駆動回路５３に送られて、フィルムの自動巻き上げが行われる。
【００３８】
このようにして、この実施の形態の簡易型内視鏡装置においては、接続筒８から光源ユニット１０を取り外して、それに代えてライトガイドケーブル４０を接続し、外部光源装置６０を用いた充分な明るさの照明光の下に、撮影装置５０で自動露出撮影を行うことができる。その結果、簡易型内視鏡装置を用いて必要に応じて画質の良い写真撮影を行うことができる。
【００３９】
【発明の効果】
本発明によれば、イメージガイドによって伝達された内視鏡観察像を撮影するための撮影装置を接眼部に着脱自在に取り付けられるようにすると共に、外部光源装置から照明用ライトガイドに照明光を供給するためのライトガイドケーブルを接続口金に着脱自在に設け、ライトガイドケーブルと接眼部を経由して外部光源装置と撮影装置との間を電気的に接続するための電気配線を設け、電気配線を途中で接続するための電気接点を接続口金部に設けたことによって、被写体の記録が必要な場合には、充分な明るさの照明下に自動露出等を利用した質の良い写真撮影を行うことができる。
【図面の簡単な説明】
【図１】本発明の実施の形態の全体略示図である。
【図２】本発明の簡易型内視鏡装置の操作部部分の正面図である。
【図３】本発明の実施の形態の接眼部と接続筒部分の縦断面図である。
【図４】本発明の実施の形態の接眼部の縦断面図である。
【図５】本発明の実施の形態の接続筒にライトガイドケーブルが接続された状態の断面図である。
【図６】本発明の実施の形態の接眼筒からライトガイドケーブルが取り外された状態の断面図である。
【符号の説明】
２  操作部
３  イメージガイドファイババンドル
４  接眼部
５  照明用ライトガイドファイババンドル
５ａ  入射端面
８  接続筒
１０  光源ユニット
１８，２９，４７，４９，５４，６３  電気接点
１９，４８  リード線
４０  ライトガイドケーブル
５０  撮影装置
６０  外部光源装置
【図１】
0003798869.tif 000002
【図２】
0003798869.tif 000003
【図３】
0003798869.tif 000004
【図４】
0003798869.tif 000005
【図５】
0003798869.tif 000006
【図６】
0003798869.tif 000007